(57)【特許請求の範囲】
【請求項１】
回転動作の可能な筒状の外軸と、該外軸内に挿通され、回転動作と軸方向の移動動作の可能な内軸と、前記外軸の回転動作で駆動される第１の回転部材を有する第１の回転型電気部品と、前記内軸の回転動作で駆動される第２の回転部材を有する第２の回転型電気部品と、前記内軸の軸方向の移動動作で駆動される駆動体を有するプッシュスイッチとを備え、前方側に配設された第１の回転型電気部品の後方側に並設して前記第２の回転型電気部品が配設され、また、前記駆動体が前記内軸と結合され、前記駆動体は、前記内軸の動作に追従して回転動作と軸方向の移動動作が可能で、前記駆動体の回転動作で前記第２の回転部材を駆動し、また、前記軸方向の移動動作で前記プッシュスイッチを操作すると共に、前記第１の回転型電気部品には、摺動子を取り付けた絶縁基体を有し、この絶縁基体の中央部には孔が設けられ、前記第２の回転部材は、前記駆動体を挿通する孔が設けられた軸部を有し、この軸部が前記絶縁基体の孔に挿入されて、回転可能にガイドされることにより、前記絶縁基体の中心部に前記駆動体を位置させて前記第１の回転型電気部品の中心部に収容したことを特徴とする複合操作型電気部品。
【請求項２】
前記第１の回転部材の中心部には、前記内軸を挿通する凹部を設け、該凹部内において前記内軸の前方側への抜け止めを行わしめたことを特徴とする請求項１記載の複合操作型電気部品。
【請求項３】
前記内軸に抜け止め部材を取り付け、前記抜け止め部材を前記第１の回転部材の前記凹部の内壁に当接させて、前記内軸の前方側への抜け止めを行わしめたことを特徴とする請求項２記載の複合操作型電気部品。
【請求項４】
クリック部材を備え、前記絶縁基体の前方側には、前記第１の回転部材を配設すると共に、前記絶縁基体の後方側には、凹凸部を有する前記第２の回転部材を配設し、前記絶縁基体と前記第２の回転部材の間に、前記凹凸部に係合する前記クリック部材を配設したことを特徴とする請求項１、又は２、又は３記載の複合操作型電気部品。
【請求項５】
前記絶縁基体には、前記第１の回転部材に設けた可動接点に接離する接触部を有する前記摺動子と、前記接触部を収容する孔を設けると共に、該孔から外れた位置に前記クリック部材を取り付けたことを特徴とする請求項４記載の複合操作型電気部品。
【請求項６】
前記第１の回転部材は円板状をなした回転体を有し、また、該回転体の前方側には、収納部を有する軸受けを配設すると共に、前記収納部には、腕部を有するセルフリターン用のコイルバネを配置し、前記回転体により前記腕部を移動させて、前記外軸をセルフリターンさせるようにしたことを特徴とする請求項１、又は２、又は３、又は４、又は５記載の複合操作型電気部品。
【発明の詳細な説明】
【０００１】
【発明の属する技術分野】
本発明は、カーステレオ等の操作に使用して好適な複合操作型電気部品に関する。
【０００２】
【従来の技術】
従来の複合操作型電気部品を図３０に基づいて説明すると、軸受け５１は、貫通孔５１ａを有する軸部５１ｂと、鍔部５１ｃとを有し、この軸受け５１の貫通孔５１ａには、円筒状の外軸５２が回転可能に取り付けられている。
また、筒状のスリーブ５３は、外軸５２の後方側ではめ合わされた状態で、スリーブ５３の外側よりカシメて外軸５２に固着されている。
また、亜鉛ダイキャスト等からなるケース５４には凹部５４ａが設けられ、この凹部５４には、セルフリターン用のコイルバネ５５が収納され、腕部５５ａがケース５４の側壁に係止した状態で、コイルバネ５５がケース５４に取り付けられている。
【０００３】
そして、コイルバネ５５を取り付けたケース５４は、軸受け５１の鍔部５１ｃの後方側に重ね合わされて配設されると共に、配設された時、コイルバネ５５の巻き回部５５ｂ内にはスリーブ５３が挿通された状態となっている。
そして、外軸５２を時計方向、或いは反時計方向に回転すると、外軸５２に伴ってスリーブ５３が回転する。
すると、このスリーブ５３上に取り付けられた駆動板（図示せず）がコイルバネ５５の一方の腕部５５ａをバネ性に抗して変移させ、また、外軸５２の回転力を解除すると、変移したバネ性の腕部５５ａにより、腕部５５ａがケース５４の側壁にぶつかって停止する元の位置まで外軸５２とスリーブ５３を回転して、元の状態にセルフリターンするようになっている。
【０００４】
また、合成樹脂の成型品からなる回転部材５６には、バネ性のある金属板からなる摺動子５７が取り付けられ、この回転部材５６は、その中心部に設けられた孔にスリーブ５３を嵌合した状態で、ケース５４の後方側に重ね合わされて配設されると共に、回転部材５６はスリーブ５３の回転に伴って回転するように取り付けられている。
また、合成樹脂の成型品からなるケース５８は凹部５８ａを有し、このケース５８には、接点部材５９が凹部５８ａの底部に露出した状態で埋設されている。
そして、このようなケース５８は、凹部５８ａ内に回転部材５６を収納した状態で、ケース５４の後方側に重ね合わされて配設されている。
このように配設された時、摺動子５７が接点部材５９に接離できるようになっており、外軸５２により回転部材５６が回転すると、摺動子５７が回転して、接点部材５９に接離して接点の切り換えが行われるようになっている。
そして、摺動子５７を取り付けた回転部材５６と接点部材５９を取り付けたケース５８とで第１の回転型電気部品Ｄ４が構成されている。
【０００５】
また、内軸６０は、外軸５２の孔に挿通されて、ケース５８の後方側から突出した状態で、回転と軸方向の移動が可能に取り付けられている。
また、合成樹脂の成型品からなるケース６１は、凹部の底壁６１ａに凹凸部６１ｂが設けられ、このケース６１は、ケース６１の孔に内軸６０を挿通した状態で、ケース５８の後方側に重ね合わされて配設されている。
また、合成樹脂の成型品からなる回転体６２は、軸部６２ａと鍔部６２ｂとを有し、この回転体６２の鍔部６２ｂの前方側には、バネ板からなるクリック部材６３が取り付けられている。
また、合成樹脂の成型品からなるケース６４は、中央部に設けた凹部６４ａと連通する孔６４ｂを有し、凹部６４ａに回転体６２を収納した状態で、孔６４ｂに回転体６２の軸部６２ａを嵌合して、回転体６２を回転可能に支持している。
この回転体６２とケース６４は、回転体６２の軸部６２ａに内軸６０をスプライン結合して挿通した状態で、ケース６４がケース６１の後方側に重ね合わされて配設されている。
そして、このように配設された時、クリック部材６３はケース６１の凹凸部６１ｂに係脱可能となり、内軸６０が回転された時、回転体６２を回転して、クリック部材６３が凹凸部６１ｂに係脱を行って、内軸６０の回転にクリック感を持たせるようになっている。
そして、ケース６１、クリック部材６３を取り付けた回転体６２、及びケース６４とでクリック機構部Ｋが構成されている。
【０００６】
また、合成樹脂の成型品からなる回転部材６５は、軸部６５ａと鍔部６５ｂとを有し、鍔部６５ｂには、可動接点６６が埋設されて取り付けられている。
また、合成樹脂の成型品からなるケース６７は、孔６７ａと凹部６７ｂを有し、このケース６７には、バネ性ある金属板からなる摺動子６８が埋設されて取り付けられている。
そして、回転部材６５は、凹部６７ｂに回転部材６５を収納した状態で、孔６７ａに回転部材６５の軸部６５ａを嵌合して、回転部材６５を回転可能に支持している。
そして、この回転部材６５とケース６７は、回転部体６５の軸部６５ａに内軸６０をスプライン結合して挿通した状態で、ケース６７がケース６４の後方側に重ね合わされて配設されている。
そして、このように配設された時、摺動子６８は可動接点６６に接離可能となり、内軸６０により回転部材６５が回転すると、可動接点６６が回転して、摺動子６８に接離して接点の切り換えが行われるようになっている。
そして、可動接点６６を取り付けた回転部材６５と摺動子６８を取り付けたケース６７とで第２の回転型電気部品Ｄ５が構成されている。
【０００７】
また、絶縁材からなる絶縁板６９は、その中心部の孔に内軸６０を挿通した状態で、ケース６７の後方側に重ね合わされて配設されている。
そして、絶縁板６９の後方側から突出した内軸６０には、抜け止め板７０が取り付けられて、内軸６０の前方側への抜け止めを行っている。
また、合成樹脂の成型品からなる固定部材７１には、駆動体７２が取り付けられ、この固定部材７１は、駆動体７２が内軸６０の先端部に当接した状態で、ケース６７に凹凸嵌合されて、ケース６７の後方側に重ね合わされて配設されている。
【０００８】
また、合成樹脂の成型品からなるケース７３は、凹部７３ａと底壁７３ｂとを有し、このケース７３には、接点部材７４、７５が底壁７３ｂに露出した状態で、埋設されて取り付けられている。
また、バネ性のある金属板からなる可動接点７６は、中央部が凹んだ皿状をなし、この可動接点７６は、ケース７３の凹部７３ａに収納されて、中央部が接点部材７４と離れると共に、周辺部が接点部材７５に常時当接した状態で取り付けられている。
そして、ケース７３は、凹部７３ａ内に固定部材７１と駆動体７２を収納した状態で、絶縁板６９の後方側に重ね合わされて配設されている。
ケース７３が配設された時、可動接点７６は中央部が駆動体７２に当接し、可動接点７６のバネ性により、駆動体７２、及び内軸６０が前方側に常時押圧され、抜け止め板７０が絶縁板６９にぶつかった状態となっている。
【０００９】
そして、内軸６０を軸方向に後方側に押圧した時、これに伴って同方向に移動する駆動体７２によって、可動接点７６の中央部がバネ性に抗して押され、可動接点７２の中央部が接点部材７４に接触して、接点部材７４と７５とを導通してＯＮ状態となり、また、内軸６０の押圧力を解除すると、可動接点７６のバネ性により、駆動体７２と内軸６０は押圧前の元の状態に戻ると共に、可動接点７６は接点部材７４から接触が離れ、ＯＦＦの状態となる。
即ち、接点部材７４、７５を取り付けたケース７３と可動接点７６とでプッシュスイッチＳが構成されている。
【００１０】
また、合成樹脂の成型品からなる板状の蓋部７７は、ケース７３の後方側に重ね合わされて配設され、この蓋部７７により、ケース７３内に埃等が侵入するのを防止している。
そして、このように、軸受け５１から蓋部７７までに各種の部品が重ね合わされて配設され、この配設された部品は、取付板（図示せず）により、一体化して取り付けられている。
【００１１】
次に、上記のような構成を有する複合操作型電気部品の動作を説明すると、先ず、外軸５２を時計方向、或いは反時計方向に回転すると、スリーブ５３と回転部材５６が同時に回転する。
すると、スリーブ５３は、コイルバネ５５の腕部５５ｂのバネ性に抗して回転すると共に、回転部材５６に取り付けられた摺動子５７が回転して接点部材５９に接離し、第１の回転型電気部品Ｄ４の接点の切り換えが行われる。
次に、外軸５２の回転力を解除すると、変移したバネ性の腕部５５ｂにより、元の位置までスリーブ５３と回転部材５６が回転して、元の状態に接点が切り換わると共に、回転部材５６をセルフリターンするようになっている。
【００１２】
また、次に、内軸６０を時計方向、或いは反時計方向に回転すると、スプライン結合された回転体６２が回転し、回転体６２に取り付けられたクリック部材６３がケース６１に設けられた凹凸部６１ｂと係脱を行ってクリック感を持った回転となると共に、内軸６０にスプライン結合された回転部材６５が回転し、回転部材６５に設けられた可動接点６６が回転して摺動子６８と接離して、第２の回転型電気部品Ｄ５の接点の切り換えが行われる。
次に、内軸６０を軸方向の後方側に押圧すると、これに伴って同方向に駆動体７２が移動し、すると、この駆動体７２により可動接点７６の中央部がバネ性に抗して押され、可動接点７６の中央部が接点部材７４に接触して、プッシュスイッチＳは、接点部材７４と７５とを導通してＯＮ状態となる。
また、内軸６０の押圧力を解除すると、可動接点７６のバネ性により、駆動体７２と内軸６０は押圧前のもとの状態に戻ると共に、可動接点７６は接点部材７４から接触が離れ、プッシュスイッチＳは、ＯＦＦの状態となる。
このようにして、複合操作型電気部品の操作が行われる。
【００１３】
そして、このような複合操作型電気部品は、カーステレオの操作に使用され、例えば、第１の回転型電気部品Ｄ４は、ラジオのチューニングのアップ、ダウンに、また、第２の回転操作型電気部品Ｄ５は、音量、バス等の調整用に、更に、プッシュスイッチＳは、音量、バス等のモード切り換え用として使用される。
このように、複合操作型電気部品は、操作部を集中させて各種の操作ができるため、特に、カーステレオに使用されている。
【００１４】
【発明が解決しようとする課題】
従来の複合操作型電気部品は、第１の回転型電気部品Ｄ４と第２の回転型電気部品との間に、クリック機構部Ｋが配設されているため、軸方向に大型になるという問題がある。
また、プッシュスイッチＳを操作するための駆動体７２の全体がプッシュスイッチＳのケース７３内に配置されているため、スペースファクターが悪く、軸方向に大型になるという問題がある。
また、内軸６０の抜け止めは、内軸６０を、複数個のケース５４等と絶縁基板６９を貫通させて、最後尾にあるケース７３内で行うようにしたため、軸方向に大型になるという問題がある。
また、第１の回転型電気部品Ｄ４の他に、２個のケース６１、６４とクリック部材６３と回転体６２とで構成されるクリック機構部Ｋを必要とし、部品点数が多くなって、コスト高で生産性も悪く、軸方向に大型になるという問題がある。
また、セルフリターン用のコイルバネ５５の腕部５５ｂを移動させるために、回転部材５６とは別部品である駆動板を必要とし、部品点数が多くなって、コスト高で大型になるという問題がある。
【００１５】
【課題を解決するための手段】
上記課題を解決するための第１の解決手段として、回転動作の可能な筒状の外軸と、該外軸内に挿通され、回転動作と軸方向の移動動作の可能な内軸と、前記外軸の回転動作で駆動される第１の回転部材を有する第１の回転型電気部品と、前記内軸の回転動作で駆動される第２の回転部材を有する第２の回転型電気部品と、前記内軸の軸方向の移動動作で駆動される駆動体を有するプッシュスイッチとを備え、前方側に配設された第１の回転型電気部品の後方側に並設して前記第２の回転型電気部品が配設され、また、前記駆動体が前記内軸と結合され、前記駆動体は、前記内軸の動作に追従して回転動作と軸方向の移動動作が可能で、前記駆動体の回転動作で前記第２の回転部材を駆動し、また、前記軸方向の移動動作で前記プッシュスイッチを操作すると共に、前記第１の回転型電気部品には、摺動子を取り付けた絶縁基体を有し、この絶縁基体の中央部には孔が設けられ、前記第２の回転部材は、前記駆動体を挿通する孔が設けられた軸部を有し、この軸部が前記絶縁基体の孔に挿入されて、回転可能にガイドされることにより、前記絶縁基体の中心部に前記駆動体を位置させて前記第１の回転型電気部品の中心部に収容した構成とした。
また、第２の解決手段として、前記第１の回転部材の中心部には、前記内軸を挿通する凹部を設け、該凹部内において前記内軸の前方側への抜け止めを行わしめた構成とした。
【００１６】
また、第３の解決手段として、前記内軸に抜け止め部材を取り付け、前記抜け止め部材を前記第１の回転部材の前記凹部の内壁に当接させて、前記内軸の前方側への抜け止めを行わしめた構成とした。
また、第４の解決手段として、クリック部材を備え、前記絶縁基体の前方側には、前記第１の回転部材を配設すると共に、前記絶縁基体の後方側には、凹凸部を有する前記第２の回転部材を配設し、前記絶縁基体と前記第２の回転部材の間に、前記凹凸部に係合する前記クリック部材を配設した構成とした。
また、第５の解決手段として、前記絶縁基体には、前記第１の回転部材に設けた可動接点に接離する接触部を有する前記摺動子と、前記接触部を収容する孔を設けると共に、該孔から外れた位置に前記クリック部材を取り付けた構成とした。
また、第６の解決手段として、前記第１の回転部材は円板状をなした回転体を有し、また、該回転体の前方側には、収納部を有する軸受けを配設すると共に、前記収納部には、腕部を有するセルフリターン用のコイルバネを配置し、前記回転体により前記腕部を移動させて、前記外軸をセルフリターンさせるようにした構成とした。
【００１７】
【発明の実施の形態】
本発明の複合操作型電気部品の一実施例を図１〜図２９に基づいて説明すると、何れも本発明の複合操作型電気部品に係り、図１は本発明の複合操作型電気部品の断面図、図２〜図４は軸受けを示す図、図５〜図８は連結体を示す図、図９と図１０はセルフリターン用のコイルバネを示す図、図１１〜図１３は回転体を示す図、図１４〜図１６は絶縁基体を示す図、図１７と図１８は回転部材を示す図、図１９と図２０は駆動体を示す図、図２１〜図２３は絶縁基部を示す図、図２４〜図２６は取付部材を示す図、図２７は図１の２７ー２７線におけるコイルバネの取付状態を示す図、図２８は図１の２８ー２８線におけるクリック部材の取付状態を示す図である。
【００１８】
次に、本発明の複合操作型電気部品の一実施例の構成を図１〜図２８に基づいて説明すると、金属のダイキャスト、或いは合成樹脂の成型品からなる軸受け１は、図２〜図４、図２７に示すように、大小二つの径からなる挿通孔１ａを有する円筒部１ｂと、円筒部１ｂの後方側に形成され、対向する一対の側壁１ｃを設けた凹部からなる収納部１ｄを有する矩形状の鍔部１ｅとを有している。
また、黄銅などの金属材からなる筒状の外軸２は、図１に示すように、中心部に挿通孔２ｄを有し、比較的径の大きな操作部２ａと、操作部２ａより径の小さい軸部２ｂと、軸部２ｂの一端に設けられた取付部２ｃとを有し、この外軸２は、軸部２ｂが軸受け１の挿通孔１ａに挿通されて、回転動作が可能となっている。
【００１９】
また、金属のダイキャスト、或いは合成樹脂の成型品からなる円筒状の連結体３は、図５〜図８に示すように、前方側の中心部に設けられた非円形の孔３ａと、孔３ａに連通して後方側に設けられ、孔３ａより大きな凹部３ｂと、凹部３ｂの内壁に形成された段部３ｃと、凹部３ｂと孔３ａとの間で段状をなす底壁３ｄに設けられた凸状の取付部３ｅと、後方側に設けられた径方向に突出する一対の凸部３ｆとを有している。
そして、この連結体３は、図１に示すように、軸受け１の挿通孔１ａに挿入されると共に、連結体３の孔３ａには外軸２の軸部２ｂが挿入され、軸部２ｂの一端に設けた取付部２ｃをカシメて、取付部２ｃを底壁３ｄに係止すると共に、軸部２ｂの取付部２ｃで連結体３の取付部３ｅを抱持して、連結体３と外軸２とが結合され、この結合によって両者の結合部が形成されている。
このように結合された連結体３は、外軸２の回転動作時、スリップすることなく外軸２の回転動作に追従して回転可能となっている。
【００２０】
また、アルミなどの金属材からなる内軸４は、図１に示すように、大径の操作部４ａと、操作部４ａより小さい径からなる軸部４ｂと、軸部４ｂの先端部に設けられた二股状の取付部４ｃと、取付部４ｂの根本部に位置する軸部４ｂの外周に設けられた溝部４ｄとを有している。
そして、この内軸４は、軸部４ｂを外軸２の挿通孔２ｄに挿通して、取付部４ｃと溝部４ｄとを挿通孔２ｄの後方側から突出させて、取付部４ｃと溝部４ｄとを連結体３の凹部３ｂ内に位置させている。
そして、溝部４ｄには金属からなるＣ状の抜け止め部材５が嵌入され、内軸４が前方側に移動した時、抜け止め部材５が連結体３の凹部３ｂの内壁である段部３ｃに当接して、凹部３ｂ内に置いて内軸４の前方側への抜け止めを行わしめている。
このようにして外軸２に取り付けられた内軸４は、回転動作と軸方向の移動動作が可能となっている。
また、この抜け止め部材５が連結体３と当接する位置は、連結体３と外軸２とが結合された結合部よりも後方側に位置し、これによって、外軸２と内軸４の取付作業を容易し、且つ、径方向の小型化を図っている。
【００２１】
また、金属のバネ線よりなるセルフリターン用のコイルバネ６は、図９、図１０に示すように、巻き回部６ａと、巻き回部６ａの両端から延びた対向する一対の腕部４ｂとを有し、このコイルバネ６は、図１、図２７に示すように、巻き回部６ａを軸受け１の収納部１ｄに収納した状態で、一対の腕部６ｂを側壁１ｃに弾接させて取り付けられている。
そして、コイルバネ６が取り付けられた時、巻き回部６ａ内に連結体３が位置し、連結体３の外周を巻き回部６ａで囲むようになっている。
【００２２】
また、アセタール、ガラス入りの樹脂などの合成樹脂の成型品からなる円板状の回転体７は、図１１〜図１３に示すように、中央部に設けられた孔７ａと、孔７ａと連設され、孔７ａの対向する位置に設けられた一対の切り欠き部７ｂと、一面側で露出した状態で埋設された可動接点７ｃと、他面側に形成され、一部に欠除部７ｄを設けたＣ状の凸条からなる壁部７ｅとを有している。
そして、この回転体７は、図１、図２７に示すように、切り欠き部７ｂに連結体３の突部３ｆを嵌合することにより連結体３と組み合わされて、回転体７と連結体３とで第１の回転部材８が構成されている。
なお、回転体７と連結体３は、回転体７に連結部３を埋設して両者を一体化、或いは、両者を合成樹脂の成型品で一体化して、第１の回転部材８を構成しても良い。
【００２３】
また、回転体７が連結体３に組み合わされたときは、Ｃ状の壁部７ｅ内にコイルバネ６の巻き回部６ａを収納し、欠除部７ｄ内を通って一対の腕部６ｂが外方に延びた状態となっている。
そして、外軸２を時計方向、或いは反時計方向に回転すると、第１の回転部材８である連結体３と回転体７とが同時に回転する。
すると、回転体７の欠除部７ｄに位置する壁部７ｅの端部で、コイルバネ６の一方の腕部６ｂを、バネ性に抗して軸受け１の側壁１ｃから離れる方向に変移させ、また、しかる後、外軸２の回転力を解除すると、変移したバネ性の腕部６ｂにより、腕部６ｂが側壁１ｃにぶつかって停止する元の位置まで第１の回転部材８（回転体７と連結体３）を回転して、第１の回転部材８を元の状態に戻し、第１の回転部材８をセルフリターンするようになっている。
【００２４】
また、合成樹脂の成型品からなる矩形状の絶縁基体９は、図１４〜図１６に示すように、中央部に設けられた円形の孔９ａと、孔９ａを挟んで対向する位置に形成された一対の矩形の孔９ｂと、後方側の面で、孔９ｂから外れた位置である一対の孔９ｂの間に設けられた凸部からなる取付部９ｃとを有している。
また、バネ性のある金属板からなる摺動子１０は、接触部１０ａと、端子部１０ｂとを有し、この摺動子１０は、接触部１０ａが絶縁基体９の孔９ｂ内に位置し、端子部１０ｂが絶縁基体９から外方に突出した状態で絶縁基体９に埋設されている。
そして、後方側から孔９ｂ内に治具（図示せず）を挿入して、接触部１０ａの一部が絶縁基体９の前方側の面から突出するような突き出し加工を行って、接触部１０ａが形成されている。
【００２５】
また、バネ性の金属板からなるリング状のクリック部材１１は、図２８に示すように、中央部に孔１１ａを設けたリング状部１１ｂと、孔１１ａを挟んで対向する位置のリング状部１１ｂに設けられた一対の孔からなる取付部１１ｃと、一対の取付部１１ｃの間の中央部に位置するリング状部１１ｂに設けられた凸部１１ｄとを有する。
そして、このクリック部材１１は、取付部１１ｃである孔に、絶縁基体９の取付部９ｃである凸部を挿通し、取付部９ｃの先端を、例えば、潰して広げることにより、絶縁基体９にクリック部材１１が取り付けられており、取り付けられたクリック部材１１は、摺動子１０の接触部１０ａが突出した絶縁基体９の一方の面側と反対側に位置する他面側に配置された状態となっている。
なお、前記取付部９ｃと１１ｃの凸部と孔の関係を、逆にしても良い。
【００２６】
そして、このような構成を備えた絶縁基体９は、図１に示すように、接触部１０ａを回転体７に設けた可動接点７ｃに対向させた状態で、軸受け１の鍔部１ｅの後方側に重ね合わされて配置され、摺動子１０を備えた絶縁基体９と第１の回転部材８とで、回転型スイッチからなる第１の回転型電気部品Ｄ１が構成されている。
また、絶縁基体９が配置された時、連結体３と回転体７は絶縁基体９で覆われ、摺動子１０の接触部１０ａが可動接点７ｃに接離可能となっている。
即ち、第１の回転部材８である回転体７が回転すると、可動接点７ｃが回転して、可動接点７ｃが接触部１０ａに接離して、第１の回転型電気部品Ｄ１である回転型スイッチの切り換えが行われるようになっている。
【００２７】
また、合成樹脂の成型品からなる第２の回転部材１２は、図１７、図１８に示すように、前方側の面に凹凸部１２ａを有する円板状部１２ｂと、円板状部１２ｂと一体に設けられた軸部１２ｃと、円板状部１２ｂと軸部１２ｃに跨って中心部に設けられた非円形の孔１２ｄとを有している。
また、金属板からなり、コードパターンを形成した接点部材１３は、第２の回転部材１２に埋設され、その接点部が円板状部１２ｂの後方側の面に露出した状態となっている。
そして、このような構成の第２の回転部材１２は、図１に示すように、円板状部１ｂを絶縁基体９の後方側に位置した状態で、軸部１２ｃが絶縁基体９の孔９ａに挿入されて、孔９ａをガイドにして回転可能に取り付けられている。
また、取り付けられた第２の回転部材１２と絶縁基体９との間にクリック部材１１が位置し、クリック部材１１の凸部１１ｄが第２の回転部材１２の凹凸部１２ａに係合し、第２の回転部材１２が回転したとき、凹凸部１２ａに凸部１１ｄが係脱を繰り返して、クリック感を持たせるようになっている。
【００２８】
また、合成樹脂の成型品からなる駆動体１４は、図１９、図２０に示すように、本体部１４ａと、本体部１４ａの中央部から前方側に突出して形成された突出部１４ｂと、突出部１４ｂの両側に設けられた凹部１４ｃと、本体部１４ａの外側の両側に、相対向して形成された一対の凸条部１４ｄと、本体部１４ａの後方側に設けられた凸部１４ｅとを有している。
そして、この駆動体１４は、図１に示すように、第２の回転部材１２の孔１２ｄに挿入されて、凸条部１４ｄが孔１２ｄにスプライン結合されている。
また、駆動体１４の突出部１４ｂは、内軸４の二股状の取付部４ｃの割れ部に嵌合されると共に、凹部１４ｃには、二股状の取付部４ｃが嵌合したものとなっている。
そして、内軸４の回転時、駆動体１４は突出部１４ｂと凹部１４ｃが内軸４と嵌合しているため、駆動体１４は内軸４と共に回転し、この駆動体１４の回転により、スプライン結合された第２の回転部材１２を回転するようになっている。
また、内軸４を軸方向の後方側に移動した時、駆動体１４は内軸４に押されて同時に後方側に移動すると共に、駆動体１４はスプライン結合により、第２の第２の回転部材１２内を摺動するようになっている。
【００２９】
また、合成樹脂の成型品からなる絶縁ケース１５は、図１、図２１〜図２３に示すように、前方側の中央部に凹部１５ａを設けた側壁１５ｂと、一対の矩形の孔１５ｃを設けた底壁１５ｄとで構成されている。
また、バネ性のある金属板からなる接触子１６は、図２１〜図２３に示すように、接触部１６ａと、端子部１６ｂとを有し、この接触子１６は、接触部１６ａが底壁１５ｄの孔１５ｃ内に位置し、端子部１６ｂが絶縁ケース１５から外方に突出した状態で絶縁ケース１５に埋設されている。
そして、後方側から孔１５ｃ内に治具（図示せず）を挿入して、接触部１６ａの一部が底壁１５ｄから前方側の面から突出するような突き出し加工を行って、接触部１６ａが形成されている。
【００３０】
また、金属板からなる接点部材１７、１８は、図１、図２１〜図２３に示すように、それぞれ接触部１７ａ、１８ａと、端子部１７ｂ、１８ｂとを有し、両接点部材１７、１８は、絶縁ケース１５に埋設されて取り付けられている。
そして、一方の接点部材１７は、絶縁ケース１５の底壁１５ｄの中央部に接触部１７ａが露出した状態で、絶縁ケース１５に埋設され、また、他方の接点部材１８は、接触部１７ａの外周において、接触部１８ａが底壁１５ｄから露出した状態で、絶縁ケース１５に埋設されて取り付けられている。
そして、このように接点部材１７、１８、及び接触子１６を埋設した絶縁ケース１５は、図１に示すように、絶縁基体９の後方側に重ね合わされて配設されており、配設された時、接触子１６の接触部１６ａは、接点部材１３に接離可能となり、従って、第２の回転部材１２が回転すると、接点部材１３が接触子１６に接離して、接点の切り換えが行われるようになっている。
即ち、この接触子１６を取り付けた絶縁ケース１５と接点部材１３を取り付けた第２の回転部材１２とで、回転型のエンコーダである第２の回転型電気部品Ｄ２が構成されている。
なお、この実施例では、第２の回転部材１２には接点部材１２を、また、絶縁ケース１５には接触子１６を取り付けたもので説明したが、その取付を逆にして、第２の回転部材１２には接触子１６を、また、絶縁ケース１５には接点部材１３を取り付けたものでも良い。
更に、第２の回転型電気部品Ｄ２は、例えば、第２の回転部材１２には抵抗体を設け、また、絶縁ケース１５には、抵抗体に摺接する摺動子片を取り付けてなる回転型可変抵抗器を用いても良い。
【００３１】
また、バネ性のある金属板からなる可動接点１９は、図１に示すように、中央部が凹んだ皿状をなし、この可動接点１９は、絶縁ケース１５の凹部１５ａ内に収納されて、中央部が接点部材１７と離れると共に、周辺部が接点部材１８に常時当接した状態で取り付けられている。
そして、絶縁ケース１５が絶縁基体９の後方側に配設された時、可動接点１９は、図１に示すように、中央部が駆動体１４に当接し、可動接点１９のバネ性により、駆動体１４、及び内軸４が前方側に常時押圧され、抜け止め部材５が連結体３の段部３ｃにぶつかった状態となっている。
そして、内軸４を軸方向に後方側に押圧した時、これに伴って同方向に移動する駆動体１４によって、可動接点１９の中央部がバネ性に抗して押され、可動接点１９の中央部が接点部材１７に接触して、接点部材１７と１８とを導通してＯＮ状態となり、また、内軸４の押圧力を解除すると、可動接点１９のバネ性により、駆動体１４と内軸４は押圧前のもとの状態に戻ると共に、可動接点１９は接点部材１７から接触が離れ、ＯＦＦの状態となる。
即ち、接点部材１７、１８を取り付けた絶縁ケース１５と可動接点１９とでプッシュスイッチＳが構成されている。
【００３２】
また、合成樹脂の成型品からなる蓋部２０は、図１に示すように、板状をなし、この蓋部２０は、絶縁ケース１５の後方側に重ね合わされて配設され、この蓋部２０により、絶縁ケース１５の孔１５ｃから埃等が絶縁ケース１５内に侵入するのを防止している。
また、金属板を打ち抜き、折り曲げして形成されたＵ字状の取付板２１は、図２４〜図２６に示すように、孔２１ａを有する前面板部２１ｂと、前面板部２１ｂから後方側に折り曲げて形成された一対の取付脚２１ｃとを有している。
そして、この取付板２１は、図１に示すように、孔２１ａに外軸２と軸受け１の円筒部１ｂを挿通して、前面板部２１ｂを軸受け１の鍔部１ｅの前方側に重ね合わせると共に、取付脚２１ｃにより、鍔部１ｅ、絶縁基体９、絶縁ケース１５、及び蓋部２０の側部を支持した状態で、取付脚２１ｃの先端部を折り曲げて、蓋部２１の後面に係止して取り付けられている。
即ち、このように構成された複合操作型電気部品は、軸受け１、絶縁基体９、絶縁ケース１５、及び蓋部２０を順次重ね合わせて、取付板２１により一体化することにより組み立てられるものである。
【００３３】
次に、上記のような構成を有する複合操作型電気部品の動作を説明すると、図１において、先ず、外軸２を時計方向、或いは反時計方向に回転すると、第１の回転部材８である連結体３と回転体７とが同時に回転する。
すると、回転体７は、コイルバネ６の腕部６ｂのバネ性に抗して回転すると共に、可動接点７ｃが回転して接点部材１３に接離し、第１の回転型電気部品Ｄ１の接点の切り換えが行われる。
次に、外軸２の回転力を解除すると、変移したバネ性の腕部６ｂにより、元の位置まで第１の回転部材８（回転体７と連結体３）が回転して、第１の回転部材８を元の状態に戻し、元の状態に接点が切り換わると共に、第１の回転部材８、連結体３、及び外軸２をセルフリターンするようになっている。
【００３４】
また、次に、内軸４を時計方向、或いは反時計方向に回転すると、内軸４に結合された駆動体１４を介して第２の回転部材１２が回転する。
この時、この第２の回転部材１２は、凹凸部１２ａがクリック部材１１と係脱を行ってクリック感を持った回転となると共に、第２の回転部材１２に設けられた接点部材１３が回転して摺動子１６と接離して、第２の回転型電気部品Ｄ２の接点の切り換えが行われる。
次に、内軸４を軸方向の後方側に押圧すると、これに伴って同方向に駆動体１４が移動し、すると、この駆動体１４により可動接点１９の中央部がバネ性に抗して押され、可動接点１９の中央部が接点部材１７に接触して、プッシュスイッチＳは、接点部材１７と１８とを導通してＯＮ状態となる。
また、内軸４の押圧力を解除すると、可動接点１９のバネ性により、駆動体１４と内軸４は押圧前のもとの状態に戻ると共に、可動接点１９は接点部材１７から接触が離れ、プッシュスイッチＳは、ＯＦＦの状態となる。
このようにして、複合操作型電気部品の操作が行われる。
【００３５】
そして、このような複合操作型電気部品は、カーステレオの操作に使用され、例えば、第１の回転型電気部品Ｄ１は、ラジオのチューニングのアップ、ダウンに、また、第２の回転操作型電気部品Ｄ２は、音量、バス等の調整用に、更に、プッシュスイッチＳは、音量、バス等のモード切り換え用として使用される。
このように、複合操作型電気部品は、操作部を集中させて各種の操作ができるため、特に、カーステレオに使用して好適である。
【００３６】
また、図２９は、本発明の複合操作型電気部品の他の実施例を示し、この実施例は、絶縁ケース１５内には、接触部２２ａが切り起こされ、周囲が接点部材１８に接触した可動接点２２と、ゴムからなるドーム状の可動体２３とを配置し、内軸４による駆動体１４の軸方向の移動により、駆動体１４で可動体２３を押圧、変形させて、可動体２３により接触部２２ａを、接点部材１７の接触部１７ａに接触させて、接点部材１７と１８を導通状態にし、また、内軸４の軸方向の押圧力を解除すると、接触部２２ａは自己のバネ性で元の状態に戻り、接点部材１７と１８の導通が解除されると共に、可動体２３も自己のバネ性で元の状態に戻り、また、可動体２３の戻りにより駆動体１４と内軸４とが元の状態に戻るようにしたものである。
その他の構成は、上記実施例と同様であるので、同一部品に同一番号を付し、ここではその説明を省略する。
【００３７】
【発明の効果】
本発明の複合操作型電気部品は、第１の回転型電気部品Ｄ１と第２の回転型電気部品Ｄ２が並設されているため、従来に比して軸方向に小型の複合操作型電気部品を提供できる。
また、プッシュスイッチＳを操作する駆動体１４が第１の回転型電気部品Ｄ１の中心部に収容されているため、スペースファクターが良く、軸方向に小型の複合操作型電気部品を提供できる。
また、第２の回転部材１２を駆動し、且つ、プッシュスイッチＳを操作する駆動体１４を、第１の回転型電気部品Ｄ１の絶縁基体９の中心部に収容したため、駆動体１４によって回転部材１２とプッシュスイッチＳの操作を兼用できると共に、軸方向に小型の複合操作型電気部品を提供できる。
また、内軸４の抜け止めを、第１の回転部材８の中心部に設けた凹部３ｂ内で行うようにしたため、軸方向に縮小でき、極めて小型の複合操作型電気部品を提供できる。
【００３８】
また、内軸４に取り付けた抜け止め部材５を、第１の回転部材８の凹部３ｂの内壁に当接させるようにしたため、その構成が簡単で、且つ、小型の複合操作型電気部品を提供できる。
また、第１の回転型電気部品Ｄ１の構成部品である絶縁基体９と、第２の回転型電気部品Ｄ２の構成部品である第２の回転部材１２との間にクリック部材１１を配置したため、軸方向に縮小でき、小型の複合操作型電気部品を提供できる。また、クリック部材１１は、第１の回転型電気部品Ｄ１の絶縁基体９に取り付けられると共に、第２の回転型電気部品Ｄ２の第２の回転部材１２の凹凸部１２ａに係合するようにしたため、従来に比して部品点数を著しく少なくでき、安価で、生産性が良く、小型の複合操作型電気部品を提供できる。
また、接触部１０ａを収容する孔９ｂから外れた位置で、クリック部材１１を絶縁基体９に取り付けるようにしたため、その取付位置を径方向に縮めることができ、径方向に小型の複合操作型電気部品を提供できる。
また、セルフリターン用のコイルバネ６を、軸受け１の収納部１ｄで収納すると共に、腕部６ｂを、第１の回転部材８で移動させるようにしたため、従来にひしてスペースファクターが良く、小型となり、しかも、部品点数が少なく、安価で生産性の良好な複合操作型電気部品を提供できる。
【図面の簡単な説明】
【図１】本発明の複合操作型電気部品の断面図。
【図２】本発明の複合操作型電気部品に係る軸受けの平面図。
【図３】本発明の複合操作型電気部品に係る軸受けの側面図。
【図４】本発明の複合操作型電気部品に係る軸受けの断面図。
【図５】本発明の複合操作型電気部品に係る連結体の平面図。
【図６】図５の６ー６線における断面図。
【図７】図５の７ー７線における断面図。
【図８】本発明の複合操作型電気部品に係る連結体の下面図。
【図９】本発明の複合操作型電気部品に係るコイルバネの平面図。
【図１０】本発明の複合操作型電気部品に係るコイルバネの側面図。
【図１１】本発明の複合操作型電気部品に係る回転体の平面図。
【図１２】図１１の１２ー１２線における断面図。
【図１３】本発明の複合操作型電気部品に係る回転体の下面図。
【図１４】本発明の複合操作型電気部品に係る絶縁基体の平面図。
【図１５】本発明の複合操作型電気部品に係る絶縁基体の側面図。
【図１６】本発明の複合操作型電気部品に係る絶縁基体の下面図。
【図１７】本発明の複合操作型電気部品に係る第２の回転部材の平面図。
【図１８】本発明の複合操作型電気部品に係る第２の回転部材の側面図。
【図１９】本発明の複合操作型電気部品に係る駆動体の平面図。
【図２０】本発明の複合操作型電気部品に係る駆動体の断面図。
【図２１】本発明の複合操作型電気部品に係る絶縁ケースの平面図。
【図２２】本発明の複合操作型電気部品に係る絶縁ケースの側面図。
【図２３】本発明の複合操作型電気部品に係る絶縁ケースの下面図。
【図２４】本発明の複合操作型電気部品に係る取付板の平面図。
【図２５】本発明の複合操作型電気部品に係る取付板の正面図。
【図２６】本発明の複合操作型電気部品に係る取付板の側面図。
【図２７】図１の２７ー２７線におけるコイルバネの取付状態を示す説明図。
【図２８】図１の２８ー２８線におけるクリック部材の取付状態を示す説明図。
【図２９】本発明の複合操作型電気部品の他の実施例を示す断面図。
【図３０】従来の複合操作型電気部品の断面図。
【符号の説明】
１  軸受け
１ａ  挿通孔
１ｂ  円筒部
１ｃ  側壁
１ｄ  収納部
１ｅ  鍔部
２  外軸
２ａ  操作部
２ｂ  軸部
２ｃ  取付部
２ｄ  挿通孔
３  連結体
３ａ  孔
３ｂ  凹部
３ｃ  段部
３ｄ  底壁
３ｅ  取付部
３ｆ  凸部
４  内軸
４ａ  操作部
４ｂ  軸部
４ｃ  取付部
４ｄ  溝部
５  抜け止め部材
６  コイルバネ
６ａ  巻き回部
６ｂ  腕部
７  回転体
７ａ  孔
７ｂ  切り欠き部
７ｃ  可動接点
７ｄ  欠除部
７ｅ  壁部
８  第１の回転部材
９  絶縁基体
９ａ  孔
９ｂ  孔
９ｃ  取付部
１０  摺動子
１０ａ  接触部
１０ｂ  端子部
１１  クリック部材
１１ａ  孔
１１ｂ  リング状部
１１ｃ  取付部
１１ｄ  凸部
１２  第２の回転部材
１２ａ  凹凸部
１２ｂ  円板状部
１２ｃ  軸部
１２ｄ  孔
１３  接点部材
１４  駆動体
１４ａ  本体部
１４ｂ  突出部
１４ｃ  凹部
１４ｄ  凸条部
１４ｅ  凸部
１５  絶縁ケース
１５ａ  凹部
１５ｂ  側壁
１５ｃ  孔
１５ｄ  底壁
１６  接触子
１６ａ  接触部
１６ｂ  端子部
１７  接点部材
１７ａ  接触部
１７ｂ  端子部
１８  接触部材
１８ａ  接触部
１８ｂ  端子部
１９  可動接点
２０  蓋部
２１  取付板
２１ａ  孔
２１ｂ  前面板部
２１ｃ  取付脚
２２  可動接点
２２ａ  接触部
２３  可動体
Ｄ１  第１の回転型電気部品
Ｄ２  第２の回転型電気部品
Ｓ  プッシュスイッチ
【図１】
0003896213.tif 000002
【図２】
0003896213.tif 000003
【図３】
0003896213.tif 000004
【図４】
0003896213.tif 000005
【図５】
0003896213.tif 000006
【図６】
0003896213.tif 000007
【図７】
0003896213.tif 000008
【図８】
0003896213.tif 000009
【図９】
0003896213.tif 000010
【図１０】
0003896213.tif 000011
【図１１】
0003896213.tif 000012
【図１２】
0003896213.tif 000013
【図１３】
0003896213.tif 000014
【図１４】
0003896213.tif 000015
【図１５】
0003896213.tif 000016
【図１６】
0003896213.tif 000017
【図１７】
0003896213.tif 000018
【図１８】
0003896213.tif 000019
【図１９】
0003896213.tif 000020
【図２０】
0003896213.tif 000021
【図２１】
0003896213.tif 000022
【図２２】
0003896213.tif 000023
【図２３】
0003896213.tif 000024
【図２４】
0003896213.tif 000025
【図２５】
0003896213.tif 000026
【図２６】
0003896213.tif 000027
【図２７】
0003896213.tif 000028
【図２８】
0003896213.tif 000029
【図２９】
0003896213.tif 000030
【図３０】
0003896213.tif 000031